(57)【特許請求の範囲】
【請求項１】
二次電池を充電する受電装置と、前記受電装置に非接触で電力を供給する給電装置とを有する充電システムであって、
前記給電装置は、
複数の識別情報を記憶する第１の記憶手段と、
前記二次電池を充電する受電状態である前記受電装置が所定の範囲内に存在するか否かを検出する検出手段と、
前記検出手段によって前記所定の範囲内に前記受電状態である前記受電装置が存在することが検出された場合、前記受電状態である前記受電装置に前記第１の記憶手段に記憶されている第１の識別情報を送信する送信手段と、を有し、
前記受電装置は、
前記送信手段によって送信された前記第１の識別情報を受信する受信手段と、
前記第１の識別情報を受信した場合、前記第１の識別情報を記憶する第２の記憶手段と、
前記第１の識別情報が前記第２の記憶手段に記憶されてから経過した経過時間が所定の時間に達したか否かを判定する判定手段と、
前記経過時間が前記所定の時間に達した場合に前記受電装置を前記受電状態から受電停止状態に変更し、前記受電装置が前記受電停止状態である場合に前記受電装置を前記受電停止状態から前記受電状態に変更するように制御する制御手段と、を有し、
前記制御手段は、前記経過時間が前記所定の時間に達した場合に、前記受電装置を前記受電状態から前記受電停止状態に変更した後、再び、前記受電装置を前記受電停止状態から前記受電状態に変更するように制御し、
前記送信手段が前記第１の識別情報を送信した後に前記検出手段によって前記所定の範囲内に前記受電状態である前記受電装置が存在することが検出された場合、前記送信手段は、前記第１の識別情報と異なる第２の識別情報を前記受電状態である前記受電装置に送信することを特徴とする充電システム。
【請求項２】
前記第２の記憶手段に前記第１の識別情報が記憶されている場合に、前記受電装置が前記受電状態から前記受電停止状態に変更されたとき、前記制御手段は、前記第１の識別情報を前記第２の記憶手段から削除することを特徴とする請求項１に記載の充電システム。
【請求項３】
前記第１の識別情報が前記第２の記憶手段に記憶されていない場合に、前記受信手段は、前記送信手段によって送信された前記第２の識別情報を受信し、前記受信手段が前記第２の識別情報を受信した場合、前記制御手段は、前記第２の記憶手段に前記第２の識別情報を記憶することを特徴とする請求項１または２に記載の充電システム。
【請求項４】
前記受信手段が前記送信手段から識別情報を受信した回数を計測する計測手段と、
前記回数が所定の回数に達した場合、前記制御手段は、前記受電装置を前記受電状態から前記受電停止状態に変更しないように制御することを特徴とする請求項１から３のいずれか１項に記載の充電システム。
【発明の詳細な説明】
【技術分野】
【０００１】
本発明は、充電を行う充電システムに関する。
【背景技術】
【０００２】
近年、給電装置が携帯電話やデジタルカメラ等の二次電池が装着される受電装置に対して、コネクタで接続することなく非接触で充電を行う充電システムが知られている。このような充電システムでは、１次コイルを有する給電装置で発生された磁束変化に起因して、受電装置が有する２次コイルに発生した誘導起電力によって受電装置に装着される二次電池の充電を行うことが知られている（特許文献１）。
【０００３】
上記のような充電システムにおいて、給電装置の１次コイルに発生した磁束パターンを受信できる受電範囲内に複数の受電装置が存在する場合、給電装置は、複数の受電装置に均等に電力を並行して供給していた。
【０００４】
また、給電装置は、受電装置を制御するための制御信号を含む磁束パターンを、給電を行うための磁束パターンに重畳した磁束パターンを複数の受電装置に伝送する。受電装置は、この制御信号を受信した場合、給電装置から送信された制御信号に含まれる識別情報を自機に対応する識別情報として割り当てる。そのため、給電装置は、受電装置に付与した識別情報を用いることによって複数の受電装置の中から一つの受電装置を選択し、選択した受電装置の充電を個別に制御していた。
【先行技術文献】
【特許文献】
【０００５】
【特許文献１】特開平１１−９８７０６号公報
【発明の概要】
【発明が解決しようとする課題】
【０００６】
しかしながら、上記のような充電システムにおいて、複数の受電装置が同時に受電範囲内に載置された場合、複数の受電装置は給電装置から送信された制御信号を同時に受信するため、同一の識別情報が複数の受電装置に付与されていた。即ち、給電装置が識別情報を用いて、複数の受電装置の中から一つの受電装置を給電の対象として選択した場合であっても、同一の識別情報が付与された複数の受電装置が給電の対象として選択されていた。このため、給電装置は、同時に受電範囲内に存在することが検出された複数の受電装置の充電を個別に制御することができないという問題があった。
【０００７】
そこで、本発明は、給電装置が複数の受電装置を非接触で充電する充電システムにおいて、同一の識別情報が複数の受電装置に付与されないようにすることを目的とする。
【課題を解決するための手段】
【０００８】
本発明の充電システムは、二次電池を充電する受電装置と、前記受電装置に非接触で電力を供給する給電装置とを有する充電システムであって、前記給電装置は、複数の識別情報を記憶する第１の記憶手段と、前記二次電池を充電する受電状態である前記受電装置が所定の範囲内に存在するか否かを検出する検出手段と、前記検出手段によって前記所定の範囲内に前記受電状態である前記受電装置が存在することが検出された場合、前記受電状態である前記受電装置に前記第１の記憶手段に記憶されている第１の識別情報を送信する送信手段と、を有し、前記受電装置は、前記送信手段によって送信された前記第１の識別情報を受信する受信手段と、前記第１の識別情報を受信した場合、前記第１の識別情報を記憶する第２の記憶手段と、前記第１の識別情報が前記第２の記憶手段に記憶されてから経過した経過時間が所定の時間に達したか否かを判定する判定手段と、前記経過時間が前記所定の時間に達した場合に前記受電装置を前記受電状態から受電停止状態に変更し、前記受電装置が前記受電停止状態である場合に前記受電装置を前記受電停止状態から前記受電状態に変更するように制御する制御手段と、を有し、前記制御手段は、前記経過時間が前記所定の時間に達した場合に、前記受電装置を前記受電状態から前記受電停止状態に変更した後、再び、前記受電装置を前記受電停止状態から前記受電状態に変更するように制御し、前記送信手段が前記第１の識別情報を送信した後に前記検出手段によって前記所定の範囲内に前記受電状態である前記受電装置が存在することが検出された場合、前記送信手段は、前記第１の識別情報と異なる第２の識別情報を前記受電状態である前記受電装置に送信することを特徴とする。
【発明の効果】
【０００９】
本発明によれば、給電装置が複数の受電装置を非接触で充電する充電システムにおいて、同一の識別情報が複数の受電装置に付与されないようにすることができる。
【図面の簡単な説明】
【００１０】
【図１】実施形態１に係る充電システムの一例を示す図である。
【図２】実施形態１に係る給電装置の構成の一例を示すブロック図である。
【図３】実施形態１の識別情報管理テーブルの一例である。
【図４】実施形態１に係る受電装置の構成の一例を示す図である。
【図５】実施形態１に係る給電装置で実行される識別情報付与処理を示すフローチャートである。
【図６】実施形態１に係る受電装置で実行される識別情報受信処理を示すフローチャートである。
【図７】実施形態１に係る給電装置で実行される識別情報削除処理を示すフローチャートである。
【発明を実施するための形態】
【００１１】
以下、本発明の実施形態について、図面を参照して詳細に説明する。実施形態１に係る充電システムは、図１に示すように給電装置１００と、第１の受電装置２００と、第２の受電装置３００とを有する。
【００１２】
（実施形態１）
第１の受電装置２００は、着脱可能な不図示の二次電池を装着することができる。また、第１の受電装置２００は、装着された二次電池から供給される電力によって動作する電子機器であって、給電装置１００から供給される電力によって装着された二次電池（第１の電池）を充電する。第２の受電装置３００も同様に、装着された不図示の二次電池から供給される電力によって動作する電子機器であって、給電装置１００から供給される電力によって装着された二次電池（第２の電池）を充電する。第１の受電装置２００及び第２の受電装置３００は、給電装置１００から充電に必要な電力を供給される。
【００１３】
なお、実施形態１に係る給電装置１００は、１次コイルを有し、１次コイルにおいて磁束パターンを発生させるものである。また、実施形態１に係る第１の受電装置２００及び第２の受電装置３００は２次コイルを有し、２次コイルにおいて、給電装置１００により発生された磁束パターンの変化により誘導起電力を発生させるものである。
【００１４】
なお、給電装置１００として給電ステーション１００を例に挙げ、第１の受電装置２００としてデジタルスチルカメラ２００（デジタルスチルカメラ２００を以下「カメラ２００」と呼ぶ）を例に挙げる。さらに、第２の受電装置３００として携帯電話３００を例に挙げて、以下説明を行う。なお、実施形態１に係る充電システムは、給電装置１００が、電磁誘導により発生する誘導起電力を利用して第１の受電装置２００及び第２の受電装置３００の充電を行うもの以外のものであっても良い。実施形態１に係る充電システムは、給電装置が非接触で受電装置に給電し、受電装置が給電装置から供給される電力によって二次電池の充電を行うシステムであればよいものとする。例えば、給電装置１００が磁界共鳴により発生する起電力を利用して第１の受電装置２００及び第２の受電装置３００を充電するものであっても良い。
【００１５】
なお、充電システムにおいて、給電装置１００が磁界共鳴により非接触で第１の受電装置２００に給電する場合、給電装置１００は、交流電源と、励振素子と、共鳴素子とを有し、第１の受電装置２００は、整流回路と、励振素子と、共鳴素子とを有する。給電装置１００の励振素子及び共鳴素子は、空心コイルから構成され、第１の受電装置２００の励振素子及び共鳴素子も、空心コイルから構成される。給電装置１００の励振素子と共鳴素子は、電磁誘導により結合し、第１の受電装置２００の励振素子と共鳴素子とは、電磁誘導により結合する。また、給電装置１００の共鳴素子と第１の受電装置２００の共鳴素子とは、共振周波数が一致したときに、磁界共鳴関係となり、給電装置１００は、給電装置１００の共鳴素子と第１の受電装置２００の共鳴素子とが磁界共鳴関係となるように交流電源を制御する。
【００１６】
この場合、給電装置１００の共鳴素子から第１の受電装置２００の共鳴素子に共振周波数において非接触で交流電流が供給され、第１の受電装置２００の共鳴素子から電磁誘導によって励振素子に電流が供給され、整流回路によって直流電流に変換される。これによって、給電装置１００から第１の受電装置２００に磁界共鳴によって非接触で給電が行われ、第１の受電装置２００は、磁界共鳴によって供給された電力によって二次電池を充電する。
【００１７】
なお、第１の受電装置２００及び第２の受電装置３００は、デジタルスチルカメラ、携帯電話に限らず、ビデオカメラや音楽プレーヤ等の二次電池によって供給される電力によって動作する電子機器であれば良いものとする。
【００１８】
実施形態１に係る給電ステーション１００は、カメラ２００及び携帯電話３００が給電範囲内に存在する場合、磁束パターンを送信することによってカメラ２００及び携帯電話３００を充電することができる。なお、給電範囲とは、カメラ２００及び携帯電話３００が給電ステーション１００から磁束パターンを受信することができる所定の範囲である。カメラ２００及び携帯電話３００が給電範囲内に存在する場合、カメラ２００及び携帯電話３００は給電ステーション１００から受信した磁束パターンによって発生する誘導起電力によって充電を行うことができる。
【００１９】
カメラ２００及び携帯電話３００が給電範囲内に存在しない場合、給電ステーション１００は、磁束パターンを送信したとしても、カメラ２００及び携帯電話３００は磁束パターンを受信することができない。このため、カメラ２００及び携帯電話３００が給電範囲内に存在しない場合、カメラ２００及び携帯電話３００は充電を行うことができない。
【００２０】
実施形態１において、ユーザによって給電ステーション１００上にカメラ２００及び携帯電話３００が存在するように載置された場合、カメラ２００及び携帯電話３００は給電範囲内に存在するものとして、以下、図１を参照して説明を行う。なお、ユーザによって給電ステーション１００上からカメラ２００及び携帯電話３００が取り出された場合、カメラ２００及び携帯電話３００は給電範囲内に存在していないものとする。
【００２１】
図２は、本発明の実施形態１に係る給電ステーション１００の構成を示すブロック図である。
【００２２】
給電ステーション１００は、整流・平滑化回路１０１、共振回路１０２、制御信号通信回路１０３、１次コイル１０４、制御部１０５及び記憶部１０６を有する。
【００２３】
整流・平滑化回路１０１は、入力された交流電圧を直流電圧に変換し、さらに変換した直流電圧に含まれる脈動分を除去する。整流・平滑化回路１０１で変換された直流電圧は共振回路１０２に供給される。
【００２４】
共振回路１０２は、制御部１０５で決定された目標値に対応する給電用の磁束パターン（以下、給電用の磁束パターンを「第１の磁束パターン」と呼ぶ。）を発生させるために必要となる高周波を発振する。目標値とは、例えば、給電ステーション１００がカメラ２００や携帯電話３００を充電するための電流値やカメラ２００や携帯電話３００を充電するための電圧値である。また、共振回路１０２では、給電ステーション１００が第１の磁束パターンをカメラ２００及び携帯電話３００に送信している場合に消費される消費電力が検出される。制御部１０５は、共振回路１０２で検出される消費電力の変動に応じて、給電ステーション１００上にカメラ２００及び携帯電話３００の少なくとも一つが存在することを判定することができる。
【００２５】
制御信号通信回路１０３は、１次コイル１０４に、第１の磁束パターンとは異なる制御信号（以下、制御信号を「コマンド」と呼ぶ。）を伝達するための通信用の磁束パターン（以下、通信用の磁束パターンを「第２の磁束パターン」と呼ぶ）を発生させるため、予め定められたプロトコルに従って、コマンドに基づく振動数の発振を行う。
【００２６】
１次コイル１０４は、共振回路１０２及び制御信号通信回路１０３の発振によって、第２の磁束パターンを発生させることが可能であり、１次コイル１０４で発生した第２の磁束パターンは、給電ステーション１００上に垂直方向に送出されるものとする。なお、第２の磁束パターンには、コマンドが含まれる。
【００２７】
ここで、制御信号通信回路１０３によって１次コイル１０４に発生される第２の磁束パターンについて説明する。第２の磁束パターンは、第１の磁束パターンに重畳されてカメラ２００及び携帯電話３００に対して送信される。コマンドには、プリアンブル、宛先識別情報及びコマンドコードが含まれる。第２の磁束パターンに含まれるコマンドは、制御信号通信回路１０３が一定強度の励磁を１次コイル１０４に発生させるための振動数を発振することによりコマンドを生成し、コマンドをパルス信号としてカメラ２００及び携帯電話３００に伝送される。伝送されたパルス信号は、カメラ２００及び携帯電話３００において、「１」と「０」との情報を含むビットデータとして認識される。また、カメラ２００及び携帯電話３００は、ビットデータであるパルス信号を解析することにより、コマンドを認識する。
【００２８】
制御部１０５は、例えばＣＰＵであり、記憶部１０６に記憶されている給電ステーション１００の各ブロックの動作プログラムを読み出し、各ブロックの動作を制御する。また、制御部１０５は、各ブロックが動作を開始してから経過した時間を計測する不図示のタイマを有する。
【００２９】
記憶部１０６（第１の記憶手段）は、書き換え可能な不揮発性メモリであり、給電ステーション１００が有する各ブロックの動作プログラムに加え、各ブロックの動作に必要なパラメータ等の情報を記憶する。また、記憶部１０６は、給電ステーション１００上に載置されたカメラ２００及び携帯電話３００を管理する識別情報管理テーブルを記憶する。
【００３０】
図３は、記憶部１０６に記憶されている識別情報管理テーブルの一例を示す図である。識別情報管理テーブルは、受電範囲内に存在する給電装置を識別するための識別情報と、識別情報が付与された受電装置の充電状態とを関連付けて管理するテーブルである。なお、受電範囲内に存在する給電装置を識別するための識別情報とは、制御部１０５によってカメラ２００及び携帯電話３００に付与される情報である。識別情報管理テーブルの受電装置の充電状態は、「充電中」、「充電停止」、「未使用」の３つの状態がある。「充電中」とは、給電ステーション１００が識別情報を付与した受電装置に充電の開始を指示する充電開始コマンドを送信してから、受電装置に充電の停止を指示する充電停止コマンドを送信するまでの受電装置の状態である。「充電停止」とは、給電ステーション１００が充電停止コマンドを送信した場合における受電装置の状態である。「未使用」とは、給電ステーション１００が識別情報を付与していない受電装置の状態である。
【００３１】
以下、給電ステーション１００上にカメラ２００及び携帯電話３００が戴置される場合、カメラ２００及び携帯電話３００が給電ステーション１００の受電範囲内に存在しているものとして説明を行う。
【００３２】
図４は、本発明の実施形態１に係るカメラ２００の構成を示すブロック図である。カメラ２００は、出力整流回路２０１、制御信号受信回路２０２、２次コイル２０３、充電部２０４、制御部２０５及び記憶部２０６を有する。
【００３３】
出力整流回路２０１は、２次コイル２０３に発生した誘導起電力から、重畳されている第２の磁束パターン及びノイズを取り除き、第１の磁束パターンから充電用の直流電力を生成して充電部２０４に供給する。
【００３４】
制御信号受信回路２０２は、２次コイル２０３に発生した誘導起電力のうち、給電ステーション１００から送信される第２の磁束パターンによる成分を検出し、コマンドのプロトコルに従って第２の磁束パターンの解析を行う。制御信号受信回路２０２は、第２の磁束パターンから解析したコマンドの解析結果を制御部２０５に出力する。
【００３５】
２次コイル２０３は、カメラ２００が受電可能な状態で給電ステーション１００上に存在する際に、給電ステーション１００の１次コイル１０４で発生された第１の磁束パターンの変化により、誘導起電力を発生させる。
【００３６】
充電部２０４は、出力整流回路２０１から供給される直流電力を、カメラ２００に装着されている不図示の二次電池に供給し、不図示の二次電池の充電を行う。また、充電部２０４は、カメラ２００に装着されている二次電池の残容量を算出し、これを制御部２０５に供給する。
【００３７】
制御部２０５は、例えばＣＰＵであり、記憶部２０６に記憶されたカメラ２００の各ブロックの動作プログラムを読み出して実行することより、各ブロックの動作を制御する。
【００３８】
制御部２０５は、制御信号受信回路２０２が受信した第２の磁束パターンの宛先識別情報に含まれる識別情報と、記憶部２０６に記憶されているカメラ２００の識別情報とを比較する。そして、制御部２０５は、宛先識別情報に含まれる識別情報と記憶部２０６に記憶されているカメラ２００の識別情報とが同一である場合は、受信したコマンドがカメラ２００への動作指示であると判断する。この場合、制御部２０５は、コマンドコードで指定されている動作を実行する。制御部２０５は、宛先識別情報に含まれる識別情報と記憶部２０６に記憶されているカメラ２００の識別情報とが同一でない場合は、コマンドコードで指定されている動作を実行しない。記憶部２０６に記憶されているカメラ２００の識別情報とは、給電ステーション１００から付与された識別情報である。
【００３９】
また、制御部２０５は、カメラ２００に接続されている不図示の二次電池が満充電であるか否かを充電部２０４によって供給された二次電池の残容量から判定する。制御部２０５は、充電を行う際、カメラ２００に装着されている不図示の二次電池が満充電である場合、カメラ２００を受電停止状態に変更する。また、制御部２０５は、ユーザによってカメラ２００が充電を行うように操作された際に不図示の二次電池が満充電でない場合、カメラ２００を受電状態に変更する。受電停止状態とは、給電ステーション１００の１次コイル１０４で発生された第１の磁束パターンにより２次コイル２０３に誘導起電力が発生した場合であっても、出力整流回路２０１に充電部２０４への給電を行わせないようにする状態である。即ち、受電停止状態では制御部２０５は、出力整流回路２０１を駆動させないように制御する。この場合、充電部２０４に誘導起電力が供給されないので、充電部２０４は、不図示の二次電池を充電することができない。また、受電状態とは、給電ステーション１００の１次コイル１０４で発生された第１の磁束パターンにより２次コイル２０３に発生した誘導起電力によって不図示の二次電池を充電する状態である。また、カメラ２００が受電状態である場合、カメラ２００は、第１の磁束パターン及び第２の磁束パターンを受信することができる。
【００４０】
また、制御部２０５は、不図示のタイマを有し、カメラ２００に給電ステーション１００から識別情報を付与されてから経過した時間等を計測する。また、制御部２０５は、不図示のカウンタ（計数手段）を有し、給電ステーション１００から識別情報を付与された回数等を計測する。
【００４１】
記憶部２０６（第２の記憶手段）は、書き換え可能な不揮発性メモリであり、カメラ２００の各ブロックの動作プログラムに加え、カメラ２００の識別情報を記憶する。また、記憶部２０６は、制御部２０５のタイマによって計測される、識別情報を付与されてから経過した時間に対する閾値及び制御部２０５のカウンタによって計測される、識別情報を付与された回数を記憶する。
【００４２】
なお、カメラ２００は、被写体を撮影することによって、静止画像や動画像等の映像データを生成し、生成した映像データを記憶部２０６や外部の記録媒体に記録する撮像部をさらに有するものとする。
【００４３】
なお、携帯電話３００は、出力整流回路３０１、制御信号受信回路３０２、２次コイル３０３、充電部３０４、制御部３０５及び記憶部３０６を有するものとする。出力整流回路３０１、制御信号受信回路３０２、２次コイル３０３、充電部３０４、制御部３０５及び記憶部３０６の構成及び動作は、カメラ２００が有する構成と同一である。このため、携帯電話３００に関する説明を省略する。
【００４４】
（識別情報付与処理）
実施形態１において、給電ステーション１００によって行われる識別情報付与処理について、図５のフローチャートを用いて、説明する。識別情報付与処理は、制御部１０５が記憶部１０６に記憶されているプログラムを実行することにより実現することができる。なお、図５に示す識別情報付与処理を、図１の（ａ）から図１の（ｂ）のように給電ステーション１００上にカメラ２００が存在している状態で、新たに携帯電話３００が給電ステーション１００上に載置される場合を一例に挙げ、以下説明を行う。なお、カメラ２００及び携帯電話３００はこのとき、受電状態であるものとする。なお、識別情報付与処理は、例えばユーザによって給電ステーション１００の電源がＯＮにされた際に開始されるものとして説明する。また、給電ステーション１００が給電ステーション１００上に載置されている受電装置の種別や製品名等を特定することができない場合であっても、給電ステーション１００は、識別情報付与処理によって識別情報をカメラ２００や携帯電話３００に付与できる。このため、識別情報付与処理において、給電ステーション１００がどの受電装置に対して識別情報付与処理を行っているかを明確にするため、制御部１０５が行う処理の対象が受電装置である場合、カメラ２００または携帯電話３００を明記した上で説明を行う。
【００４５】
Ｓ５０１で、制御部１０５は１次コイル１０４で発生された第１の磁束パターンを給電ステーション１００上に載置されている受電装置（カメラ２００及び携帯電話３００）に送信するように共振回路１０２を制御する。制御部１０５は、第１の磁束パターンの目標値を決定し、決定された目標値に対応する第１の磁束パターンを１次コイル１０４に発生させるように共振回路１０２を制御する。制御部１０５は、第１の磁束パターンをカメラ２００及び携帯電話３００に送信するように共振回路１０２を制御した場合、処理をＳ５０２に進める。
【００４６】
Ｓ５０２で、制御部１０５は、共振回路１０２において検出される消費電力が、所定値以上増加したか否かを判定する。図１の（ａ）から図１の（ｂ）のように給電ステーション１００上に携帯電話３００が新たに載置された場合、共振回路１０２において検出される消費電力は所定値以上増加する。これは、携帯電話３００の２次コイル３０３に生じた誘導起電力を出力整流回路３０１が充電部３０４に供給し、充電部３０４が不図示の二次電池への充電を開始するからである。即ち、共振回路１０２では給電ステーション１００上に携帯電話３００が戴置される前よりも多くの消費電力が検出される。
【００４７】
共振回路１０２において検出される消費電力が所定値以上増加する場合、制御部１０５は、２次コイル２０３及び２次コイル３０３のいずれか一つが、１次コイル１０４から送信された第１の磁束パターンに起因して、二次電池への充電を行っていると判定する。これにより、制御部１０５は、共振回路１０２において検出される消費電力が所定値以上も増加したか否かによって、給電ステーション１００上に新しい受電装置が載置されたか否かを判定する。
【００４８】
制御部１０５は、消費電力が所定値以上増加した場合、新しく携帯電話３００が給電ステーション１００上に存在すると判定し、処理をＳ５０３に進める。なお、Ｓ５０２において、給電ステーション１００上に存在すると判定された受電装置とは、装置テーブルに登録されていない受電装置のことである。消費電力が所定値以上増加していない場合、制御部１０５は、識別情報付与処理を終了させる。
【００４９】
Ｓ５０３で、制御部１０５は、記憶部１０６に記憶されている識別情報管理テーブルを参照して、未使用の識別情報を取得する。識別情報管理テーブルが図３に示すような場合、Ｓ５０３において、制御部１０５は、未使用の識別情報「２」及び「３」を取得する。未使用の識別情報を取得した場合、制御部１０５は、処理をＳ５０４に進める。
【００５０】
Ｓ５０４で、制御部１０５は、未使用の識別情報「２」及び「３」を把握すると、未使用の識別情報のうちの一つの識別情報「２」を選択し、Ｓ５０２で検出された携帯電話３００に対して識別情報「２」を付与する。制御部１０５は、識別情報が付与されていない携帯電話３００に対して、選択した識別情報「２」を付与するための識別情報付与コマンドを制御信号通信回路１０３に生成させる。制御部１０５は、選択された識別情報「２」を宛先識別情報として含む識別情報付与コマンドを生成する。さらに、制御部１０５は、制御信号通信回路１０３に生成させた識別情報付与コマンドを含む第２の磁束パターンを１次コイル１０４によって発生させる。制御信号通信回路１０３によって発生された第２の磁束パターンは、共振回路１０２によって発生された第１の磁束パターンに重畳され、Ｓ５０２で検出された携帯電話３００に対して送信される。
【００５１】
識別情報付与コマンドを含む第２の磁束パターンが携帯電話３００に送信された場合、制御部１０５は、処理をＳ５０５に進める。
【００５２】
Ｓ５０５で、制御部１０５は、Ｓ５０２で検出された携帯電話３００に対して、Ｓ５０４で識別情報「２」を付与したことより、記憶部１０６に記憶されている識別情報管理テーブルにおける携帯電話３００の充電状態を更新する。
【００５３】
制御部１０５が識別情報「２」が付与された携帯電話３００に対して、充電の開始を指示するための充電開始コマンドを送信した場合、制御部１０５は、識別情報管理テーブルにおける識別情報「２」に対応する充電状態を「充電中」と変更する。また、制御部１０５が識別情報「２」が付与された携帯電話３００に対して、充電の停止を指示するための充電停止コマンドを送信していない場合も、制御部１０５は、識別情報管理テーブルにおける識別情報「２」に対応する充電状態を「充電中」と変更する。
【００５４】
なお、制御部１０５が識別情報「２」を付与した携帯電話３００に対して、充電の停止を指示するための充電停止コマンドを送信した場合は、制御部１０５は、識別情報「２」に対応する携帯電話３００の充電状態を「充電停止」と変更する。
【００５５】
このため、記憶部１０６に記録されている識別情報管理テーブルにおける、給電ステーション１００上に存在するカメラ２００及び携帯電話３００の充電情報が更新される。なお、識別情報付与処理は、給電ステーション１００の電源がＯＮにされている間、繰り返し行われるものとする。
【００５６】
なお、給電ステーション１００上に携帯電話３００が存在している状態で、新たにカメラ２００が給電ステーション１００上に置かれる場合も同様に、給電ステーション１００は、図５に示す識別情報付与処理を行う。
【００５７】
（識別情報受信処理）
給電ステーション１００上に同時にカメラ２００及び携帯電話３００が戴置された場合、給電ステーション１００において、上記の識別情報付与処理が行われたとき、カメラ２００及び携帯電話３００は一つの受電装置として検出されていた。
【００５８】
このため、給電ステーション１００は、一つの受電装置として検出したカメラ２００及び携帯電話３００に対して、同じ識別情報を付与してしまうという事態があった。
【００５９】
このような場合、例えば、給電ステーション１００は、カメラ２００の充電を停止するように制御したとしても、携帯電話３００とカメラ２００とが同一の識別情報を持つため、携帯電話３００の充電をも停止させてしまうという問題があった。
【００６０】
上記の問題が起こった場合、給電ステーション１００は、カメラ２００及び携帯電話３００に同一の識別情報が割り当てられているか否かを判断することができない。このため、給電ステーション１００は、一度、同一の識別情報が割り当てられた複数の受電装置を個別に制御することができなかった。
【００６１】
上記のような問題に対して、カメラ２００は、以下に説明する識別情報受信処理を実行することによって、同一の識別情報が割り当てられたカメラ２００と携帯電話３００とに別々の識別情報を付与するようにする。これによって、同一の識別情報が割り当てられたカメラ２００と携帯電話３００とを個別に給電ステーション１００によって制御できるようにする。
【００６２】
以下、実施形態１において、受電装置であるカメラ２００で行われる識別情報受信処理について、図６のフローチャートを用いて説明する。識別情報受信処理は、制御部２０５が記憶部２０６に記憶されている対応する処理プログラムを読み出し、実行することにより実現することができる。図６に示す識別情報受信処理を、図１の（ｂ）のように給電ステーション１００上にカメラ２００及び携帯電話３００が戴置された場合を一例に挙げ、以下説明を行う。
【００６３】
なお、識別情報受信処理は、カメラ２００が受電状態である場合に開始されるものとして説明する。
【００６４】
Ｓ６０１で、制御部２０５は、ユーザによってカメラ２００が給電ステーション１００に載置されたか否かを判断する。具体的には、制御部２０５は、２次コイル２０３に発生した誘導起電力を出力整流回路２０１が検出したか否かを判断する。制御部２０５は出力整流回路２０１で、給電ステーション１００で発生された第１の磁束パターンによって生じた誘導起電力を検出した場合はカメラ２００が給電ステーション１００に載置されたと判断して処理をＳ６０２に進める。
【００６５】
カメラ２００が受電状態である場合、２次コイル２０３に発生した誘導起電力は出力整流回路２０１で整流され、充電部２０４に供給される。このとき、誘導起電力は、出力整流回路２０１で直流電力に変換される。充電部２０４は、供給された直流電力によってカメラ２００の二次電池の充電を開始する。また、制御部２０５は、所定時間内に誘導起電力が検出されなかった場合は識別情報受信処理を終了させる。
【００６６】
Ｓ６０２で、制御部２０５は、記憶部２０６に記憶されているカウント値Ｋをリセットし、カウント値Ｋを０にする。カウント値Ｋが０にされた場合、制御部２０５は処理をＳ６０３に進める。なお、このカウント値Ｋはカメラ２００が給電ステーション１００から識別情報を取得した回数である。カウント値Ｋは、制御部２０５が有する不図示のカウンタで計測される。カウント値Ｋは、記憶部２０６に記憶されるものとする。
【００６７】
Ｓ６０３で、制御部２０５は、給電ステーション１００からカメラ２００を給電対象の装置として識別するための識別情報が付与され、記憶部２０６に記憶されているか否かを判断する。制御部２０５は、識別情報が記憶部２０６に記憶されている場合は、処理をＳ６０８に進める。制御部２０５は、識別情報が記憶部２０６に記憶されていない場合は処理をＳ６０４に進める。
【００６８】
Ｓ６０４で、制御部２０５は、識別情報を給電ステーション１００から付与されるまでＳ６０４の処理を繰り返し行う。具体的には制御部２０５は、２次コイル２０３に発生した誘導起電力に、コマンド（第２の磁束パターン）が重畳されていると制御信号受信回路２０２で判断された場合は、制御信号受信回路２０２に重畳されているコマンドに含まれる情報を解析させる。解析されたコマンドが、識別情報を付与されていない受電装置に対する識別情報付与コマンドであると判定した場合、制御部２０５は、処理をＳ６０５に進める。
【００６９】
なお、制御信号受信回路２０２が識別情報付与コマンドを所定の時間経過しても受信しなかったと判定した場合、制御部２０５は、識別情報受信処理を終了させる。
【００７０】
Ｓ６０５で、制御部２０５は、制御信号受信回路２０２で解析された識別情報付与コマンドに含まれる識別情報を取得する。そして、制御部２０５は、取得した識別情報をカメラ２００の識別情報として記憶部２０６に格納する。記憶部２０６にカメラ２００の識別情報が記録された場合、制御部２０５は、処理をＳ６０６に進める。給電ステーション１００が識別情報付与コマンドをカメラ２００に送信した場合、カメラ２００でＳ６０４及びＳ６０５の処理が実行されることによって、給電ステーション１００はカメラ２００に識別情報を付与することができる。
【００７１】
Ｓ６０６で、制御部２０５は、記憶部２０６に記録されているカウント値Ｋを１つ加算する。これは、Ｓ６０５で制御部２０５が、カメラ２００の識別情報を給電ステーション１００から取得したためである。カウント値Ｋが加算された場合、制御部２０５は、処理をＳ６０７に進める。
【００７２】
Ｓ６０７で、制御部２０５は、記憶部２０６に記録されているカウント値Ｋと所定値Ｎとを比較する。これによって、制御部２０５は、給電ステーション１００から識別情報を取得した回数が所定の回数に達したか否かを判定する。
【００７３】
なお、実施形態１において、所定値Ｎは２とする。これは、カメラ２００が給電ステーション１００から１回目に取得した識別情報が、給電ステーション１００から携帯電話３００と同時に載置された際に付与された携帯電話３００の識別情報と同一の識別情報である可能性が高いからである。このため、カメラ２００は給電ステーション１００から２回目に取得した識別情報をカメラ２００の識別情報として記憶部２０６に記憶するようにすることで、携帯電話３００と異なる識別情報をカメラ２００の識別情報として記憶部２０６に格納することができる。
【００７４】
制御部２０５は、記憶部２０６に記録されているカウント値Ｋが所定値Ｎ以上である場合、識別情報受信処理を終了させる。制御部２０５は、記憶部２０６に記録されているカウント値Ｋが所定値Ｎより小さい場合、処理をＳ６０３に戻す。
【００７５】
Ｓ６０８で、制御部２０５は、識別情報が識別情報付与コマンドによって付与されてから経過した経過時間が所定の時間Ｔに達したか否かを判定する。なお、経過時間は識別情報が記憶部２０６に記録された後から不図示のタイマによって計測される。経過時間が所定の時間Ｔに達した場合、制御部２０５は処理をＳ６０９に進める。経過時間が所定の時間Ｔに達していない場合、制御部２０５はＳ６０８の処理を繰り返し行う。Ｓ６０８において比較される所定の時間Ｔは、カメラ２００の固有の時間であり、例えば、カメラ２００に予め設定されており記憶部２０６に記憶されている値であってもよい。また、Ｓ６０８における所定の時間Ｔは、カメラ２００が給電ステーション１００から識別情報を取得した際にランダムで生成される値であっても良い。また、カメラ２００に固有の時間は、例えば、カメラ２００が有するＭＡＣアドレス等のユニークな番号から、特定のルールに従って生成されるものであってもよい。
【００７６】
Ｓ６０９で、制御部２０５は、カメラ２００を受電停止状態に変化させ、不図示の二次電池への充電を停止するように充電部２０４を制御する。具体的には制御部２０５は、出力整流回路２０１に検出された誘導起電力を整流させないように制御し、出力整流回路２０１から充電部２０４に電力を供給しないようにして、カメラ２００のバッテリの充電を停止させる。充電部２０４が二次電池への充電を停止した場合、制御部２０５は、処理をＳ６１０に進める。
【００７７】
Ｓ６１０で、制御部２０５は、記憶部２０６に記憶されているカメラ２００の識別情報を削除する。記憶部２０６に記憶されているカメラ２００の識別情報が削除した後、制御部２０５は処理をＳ６１１に進める。
【００７８】
Ｓ６１１で、制御部２０５は、誘導起電力から変換された直流電圧を充電部２０４に供給するように出力整流回路２０１を制御し、カメラ２００を受電状態に戻す。カメラ２００が受電状態に変更された場合、制御部２０５は、処理をＳ６１２に進める。
【００７９】
なお、制御部２０５によって行われるＳ６０９〜Ｓ６１１の処理によって、カメラ２００は、受電状態から受電停止状態に変化し、その後、受電停止状態から受電状態に変化すする。このことによって、カメラ２００は、給電ステーション１００上に戴置されている受電装置（カメラ２００）の充電が完了し、かつ、給電ステーション１００上に新しい受電装置（カメラ２００）が載置されたことを給電ステーション１００に認識させることができる。Ｓ６１２で、制御部２０５は、Ｓ６０１と同様に受電状態に切り替えられてから所定時間内に誘導起電力を検出するか否かを判断する。制御部２０５は、Ｓ６１２で誘導起電力が検出された場合、処理をＳ６０３に戻す。
【００８０】
Ｓ６１２で、カメラ２００が受電状態である場合に所定時間経過しても誘導起電力が検出されなかった場合、制御部２０５は、処理をＳ６１３に進める。Ｓ６１３で、記憶部２０６にカメラ２００の識別情報が記録されている場合、制御部２０５は、記憶部２０６からカメラ２００の識別情報を削除する。この場合、制御部２０５は識別情報受信処理を終了させる。なお、記憶部２０６にカメラ２００の識別情報が記録されていない場合、制御部２０５は、Ｓ６１３の処理を省略して、識別情報受信処理を終了させても良い。
【００８１】
このように、実施形態１に係る第１の受電装置では、識別情報（例えば識別情報「１」）を付与されてから所定の時間Ｔが経過した後、第１の受電装置を受電停止状態にして識別情報（識別情報「１」）を削除する。さらに、第１の受電装置では、再び第１の受電装置を受電停止状態から受電状態に変更するようにした。
【００８２】
これにより、実施形態１に係る給電装置は、第１の受電装置が受電停止状態から受電状態に変更されたことを消費電力の変化によって検出した場合に、第１の受電装置に新しい識別情報（例えば識別情報「２」）を送信する。
【００８３】
このため、第１の受電装置及び第２の受電装置に同一の識別情報「１」が給電装置から付与されたとしても、給電装置が再び第１の受電装置に新しい識別情報「２」を送信するので、第１の受電装置は、給電装置から新しい識別情報「２」を取得する。この場合、第２の受電装置は、誘導起電力を検出した場合に、自機に識別情報が付与されていないときは、給電装置から取得した識別情報を自機の識別情報として保持する処理を行えば良く、識別情報受信処理のＳ６０８〜Ｓ６１３のような処理を行わなくても良い。そのため、第２の受電装置は、第１の受電装置及び第２の受電装置に付与された同一の識別情報「１」を自機の識別情報として保持する。このように給電装置は、新しい識別情報「２」が第１の受電装置に対応し、第１の受電装置及び第２の受電装置に付与した識別情報「１」が第２の受電装置に対応しているものとして管理することができる。
【００８４】
したがって、給電装置が複数の受電装置を充電する場合、同一の識別情報が複数の受電装置に付与されないようにすることができ、給電装置は、複数の受電装置を個別に制御することが可能となる。
【００８５】
なお、実施形態１では、第１の受電装置（カメラ２００）が識別情報受信処理を行うようにしたが、第１の受電装置（カメラ２００）及び第２の受電装置（携帯電話３００）が実施形態１に係る識別情報受信処理を行っても良い。
【００８６】
この場合、第１の受電装置（カメラ２００）及び第２の受電装置（携帯電話３００）が識別情報受信処理を行う場合、第１の受電装置（カメラ２００）の所定の時間と第２の受電装置（携帯電話３００）の所定の時間とが同一の時間にならないようにする。このようにすることによって、第１の受電装置及び第２の受電装置に同一の識別情報「１」が給電装置から付与されたとしても、給電装置は、再び第１の受電装置に新しい識別情報「２」を付与し、再び第２の受電装置に新しい識別情報「３」を付与する。これは、第１の受電装置（カメラ２００）の所定の時間と第２の受電装置（携帯電話３００）の所定の時間とが同一の時間である場合、給電装置は、再び新たな同一の識別情報「２」を第１の受電装置及び第２の受電装置に付与してしまうためである。
【００８７】
したがって、給電装置は、新しい識別情報「２」が第１の受電装置に対応し、新しい識別情報「３」が第２の受電装置に対応しているものとして管理することができる。さらに、給電装置が複数の受電装置を充電する場合、複数の受電装置に同一の識別情報を付与しないようにすることができ、給電装置は、複数の受電装置を個別に制御することが可能となる。
【００８８】
実施形態１では、第１の受電装置（カメラ２００）及び第２の受電装置（携帯電話３００）に同一の識別情報が付与されることについて説明したが、２つ以上の受電装置に対して同一の識別情報が付与される場合に識別情報受信処理を行っても良い。なお、例えば、３つの受電装置に対して同一の識別情報が付与される場合には、３つの受電装置全てが識別情報受信処理を行っても良い。なお、この場合、各々の受電装置の所定の時間は全て異なるものとする。また、３つの受電装置に対して同一の識別情報が付与される場合、２つの受電装置が識別情報受信処理を行い、識別情報受信処理を行っていない残りの受電装置が、３つの受電装置に対して付与された同一の識別情報を自機の識別情報として保持するようにすれば良い。
【００８９】
また、例えば、４つの受電装置に対して同一の識別情報が付与される場合には、４つの受電装置が識別情報受信処理を行うものであっても良く、各々の受電装置の所定の時間は全て異なるものとする。
【００９０】
なお、Ｓ６０７において所定値Ｎは、２として説明を行ったが、所定値Ｎは、２以上の値であれば良いものとする。所定値Ｎが２以上の値であれば、第１の受電装置は、給電装置から少なくとも識別情報を２回取得する。このため、１回目は第２の受電装置と同一の識別情報（第１の識別情報）を取得したとしても、２回目以降に取得した識別情報（第２の識別情報）は第２の受電装置と異なる識別情報である可能性が高いからである。
【００９１】
（識別情報削除処理）
実施形態１において、給電ステーション１００によって行われる識別情報削除処理について、図７のフローチャートを用いて、説明する。識別情報削除処理は、制御部１０５が、記憶部１０６に記憶されている対応する処理プログラムを読み出し、実行することにより実現することができる。
【００９２】
図７に示す識別情報削除処理を、図１の（ｂ）から図１の（ｃ）のように給電ステーション１００上にカメラ２００及び携帯電話３００が存在している状態で、携帯電話３００が給電ステーション１００から取り外された場合を一例に挙げ、以下説明を行う。
【００９３】
なお、識別情報削除処理は、カメラ２００には識別情報「１」が付与され、携帯電話３００には識別情報「２」が付与されており、給電ステーション１００がカメラ２００及び携帯電話３００に並行して給電しているものとする。
【００９４】
Ｓ７０１で、制御部１０５はＳ５０１と同様に共振回路１０２に発振を行わせ、１次コイル１０４からの第１の磁束パターンの送信を開始させる。電力伝達用の磁束パターンが送信された場合、制御部１０５は、処理をＳ７０２に進める。
【００９５】
Ｓ７０２で、制御部１０５は、共振回路１０２において検出される消費電力が所定値以上減少したか否かを判定する。
【００９６】
共振回路１０２において検出される消費電力が所定値以上減少する場合、制御部１０５は、識別情報が付与された複数の受電装置内の少なくとも一つが、第１の磁束パターンに起因する誘電起電力によって二次電池の充電を行わなくなったと判定する。
【００９７】
図１の（ｂ）から図１の（ｃ）のように携帯電話３００が給電ステーション１００上から取り出された場合、携帯電話３００は給電ステーション１００から第１の磁束パターン及び第２の磁束パターンを受信できなくなる。この場合、携帯電話３００の２次コイル３０３には起電力が発生しないので、携帯電話３００は、二次電池への充電が行えない状態になる。
【００９８】
図１の（ｂ）のような状態で、携帯電話３００の充電が完了した場合、携帯電話３００は二次電池への充電を停止する受電停止状態に変化するので、携帯電話３００の出力整流回路３０１は、充電部３０４に直流電力を供給しなくなる。
【００９９】
携帯電話３００において、不図示の二次電池への充電が行われなくなった場合、携帯電話３００が二次電池への充電を行っている場合よりも共振回路１０２では、検出する消費電力が減少する。同様に、カメラ２００において不図示の二次電池への充電が行われなくなった場合、共振回路１０２では、カメラ２００が二次電池への充電を行っている場合よりも検出する消費電力が減少する。
【０１００】
共振回路１０２で検出される消費電力が所定値以上減少したとき、制御部１０５は、給電ステーション１００上に載置されている受電装置の少なくとも一つが受電停止状態である、または、磁束パターンを受信可能な範囲内に存在していないと判定する。
【０１０１】
また、カメラ２００及び携帯電話３００のいずれかで二次電池への充電が行われている場合よりも、カメラ２００及び携帯電話３００において二次電池への充電が行われていない場合、共振回路１０２で検出される消費電力は減少する。また、共振回路１０２では、カメラ２００及び携帯電話３００が充電されている場合よりも、カメラ２００及び携帯電話３００の一つで二次電池への充電が行われている場合、消費電力が減少する。
【０１０２】
制御部１０５は、共振回路１０２で検出される消費電力が所定値以上減少したと判定した場合、処理をＳ７０３に移す。制御部１０５は、共振回路１０２で検出される消費電力が所定値以上減少していないと判定した場合、識別情報削除処理を終了させる。
【０１０３】
Ｓ７０３で、制御部１０５は、識別情報管理テーブルを参照して、現在充電状態が充電中である受電装置の識別情報を全て取得する。制御部１０５は、充電中の受電装置に対応する識別情報を取得した場合、処理をＳ７０４に移す。
【０１０４】
Ｓ７０４で、制御部１０５は、Ｓ７０３で取得した識別情報に応じて、識別情報「１」の受電装置及び識別情報「２」の受電装置のいずれかが充電中であるか、識別情報「１」及び「２」の受電装置が充電中であるかを判断する。
【０１０５】
これは、Ｓ７０２で消費電力が所定値以上減少したと判定された受電装置とは、識別情報管理テーブルにおける充電状態が「充電中」である受電装置が、充電の終了に応じて受電状態から受電停止状態に変更された状態であると考えられるためである。つまり、Ｓ７０２で消費電力が所定値以上減少したと判定された受電装置は、識別情報管理テーブルにおける充電状態が「充電中」である受電装置の中の少なくとも一つの受電装置であると考えられる。このため、制御部１０５はＳ７０３で取得した識別情報に応じて、識別情報管理テーブルにおける充電状態が「充電中」である受電装置を検出することで、Ｓ７０２で消費電力が所定値以上減少したと判定された受電装置がどの受電装置であるかを検出する。
【０１０６】
制御部１０５は、識別情報「１」の受電装置、または識別情報「２」の受電装置のいずれかが充電中であると判定した場合、処理をＳ７１２に移す。また制御部１０５は、識別情報「１」及び「２」の装置が充電中であると判定した場合、処理をＳ７０５に移す。
【０１０７】
Ｓ７０５で、制御部１０５は充電を停止させるための充電停止コマンドを充電状態が「充電中」である識別情報に対応する全ての受電装置に送信する。
【０１０８】
制御部１０５は、識別情報「１」を宛先識別情報として含み、充電の停止を示すコマンドコードを含む充電停止コマンドを生成する。また、同様に制御部１０５は、識別情報「２」を宛先識別情報として含み、充電の停止を示すコマンドコードを含む充電停止コマンドを生成する。識別情報「１」を含む充電停止コマンドは、共振回路１０２によって発生された第１の磁束パターンに重畳され、識別情報「１」が付与されたカメラ２００に対して送信される。また、識別情報「２」を含む充電停止コマンドは、共振回路１０２によって発生された第１の磁束パターンに重畳され、識別情報「２」が付与された携帯電話３００に対して送信される。
【０１０９】
制御部１０５は、識別情報「１」の受電装置及び識別情報「２」の受電装置に充電停止コマンドを送信した後、処理をＳ７０６に移す。カメラ２００は、識別情報「１」を含む充電停止コマンドを受信した場合、制御部２０５は、カメラ２００を受電停止状態に変化させる。携帯電話３００は、識別情報「２」を含む充電停止コマンドを受信した場合、制御部３０５は、携帯電話３００を受電停止状態に変化させる。なお、カメラ２００が受電停止状態である場合に、識別情報「１」を含む充電停止コマンドを受信したとき、制御部２０５は、カメラ２００の状態を受電停止状態のまま保持する。なお、携帯電話３００が受電停止状態である場合に、識別情報「２」を含む充電停止コマンドを受信したとき、制御部３０５は、携帯電話３００の状態を受電停止状態のまま保持する。なお、識別情報「１」が付与されていない受電装置は、識別情報「１」を含む充電停止コマンドを受信したとしても、識別情報「１」を含む充電停止コマンドに応じた処理を行わない。また、識別情報「２」が付与されていない受電装置も、識別情報「２」を含む充電停止コマンドを受信したとしても、識別情報「２」を含む充電停止コマンドに応じた処理を行わない。
【０１１０】
Ｓ７０６で、制御部１０５は、給電ステーション１００上に載置されている複数の受電装置に、識別情報「１」を含む充電開始コマンドを送信する。制御部１０５は、識別情報「１」を宛先識別情報として含み、充電の開始を示すコマンドコードを含む充電開始コマンドを生成する。識別情報「１」を含む充電開始コマンドは、共振回路１０２によって発生された第１の磁束パターンに重畳され、カメラ２００に対して送信される。制御部１０５は、充電開始コマンドを送信した後、処理をＳ７０７に移す。カメラ２００は、識別情報「１」を含む充電開始コマンドを受信した場合、制御部２０５は、不図示の二次電池の残容量に応じて、カメラ２００を受電状態に変化させる。カメラ２００が識別情報「１」を含む充電開始コマンドを受信した場合、不図示の二次電池が満充電でない場合、制御部２０５は、カメラ２００を受電状態に変化させる。しかし、カメラ２００が識別情報「１」を含む充電開始コマンドを受信した場合に、不図示の二次電池が満充電であるとき、制御部２０５は、カメラ２００を受電状態に変化させない。なお、識別情報「１」が付与されていない受電装置は、識別情報「１」を含む充電開始コマンドを受信したとしても、識別情報「１」を含む充電開始コマンドに応じた処理を行わない。
【０１１１】
Ｓ７０７で、制御部１０５は共振回路１０２での消費電力が所定値以上増加したか否かを判断する。これによって、制御部１０５は、識別情報「１」の受電装置が充電を行っているか否かを判定する。共振回路１０２での消費電力が所定値以上増加した場合、制御部１０５は、識別情報「１」の受電装置が給電ステーション１００上に存在し、二次電池への充電を行っている状態であると判定する。この場合、制御部１０５は、処理をＳ７１０に移す。共振回路１０２での消費電力が所定の電力以上増加していない場合、制御部１０５は、処理をＳ７０８に移す。
【０１１２】
Ｓ７０８で、制御部１０５は、識別情報「１」を宛先識別情報として含み、充電の停止を示すコマンドコードを含む充電停止コマンドを生成し、これを給電ステーション１００上に載置されている複数の装置に対して送信する。充電停止コマンドを送信した場合、制御部１０５は、処理をＳ７０９に移す。
【０１１３】
Ｓ７０９で、制御部１０５は、記憶部１０６に記憶されている識別情報管理テーブルから識別情報「１」を削除し、識別情報「１」に対応する充電状態を「充電中」から「未使用」に変更する。この場合、制御部１０５は、処理をＳ７１０に移す。
【０１１４】
Ｓ７１０で、制御部１０５は、給電ステーション１００上に載置されている複数の受電装置に識別情報「２」を含む充電開始コマンドを送信する。制御部１０５は、識別情報「２」を宛先識別情報として含み、充電の開始を示すコマンドコードを含む充電開始コマンドを生成する。識別情報「２」を含む充電開始コマンドは、共振回路１０２によって発生された第１の磁束パターンに重畳され、給電ステーション１００上に載置されている複数の受電装置に対して送信される。制御部１０５は、充電開始コマンドを送信された場合、処理をＳ７１１に進める。携帯電話３００において、識別情報「２」を含む充電開始コマンドを受信した場合、制御部３０５は、不図示の二次電池の残容量に応じて、携帯電話３００を受電状態に変化させる。携帯電話３００が識別情報「２」を含む充電開始コマンドを受信した際に、不図示の二次電池が満充電でない場合、制御部３０５は、携帯電話３００を受電状態に変化させる。しかし、携帯電話３００が識別情報「２」を含む充電開始コマンドを受信した場合に、不図示の二次電池が満充電であるとき、制御部３０５は、携帯電話３００を受電状態に変化させない。なお、識別情報「２」が付与されていない受電装置は、識別情報「２」を含む充電開始コマンドを受信したとしても、識別情報「２」を含む充電開始コマンドに応じた処理を行わない。
【０１１５】
Ｓ７１１で、制御部１０５は共振回路１０２での消費電力が所定の電力以上増加したか否かを判断する。これによって、制御部１０５は、識別情報「２」の受電装置が充電を行っているか否かを判定する。共振回路１０２での消費電力が所定の電力以上増加した場合、制御部１０５は、識別情報「２」の受電装置が給電ステーション１００上に戴置されており、二次電池への充電を行っている状態であると判定する。この場合、制御部１０５は、識別情報削除処理を終了させる。共振回路１０２での消費電力が所定の電力以上増加していない場合、制御部１０５は、処理をＳ７１６に移す。
【０１１６】
Ｓ７１２で、制御部１０５はＳ７０３で取得した識別情報に応じて、識別情報「１」の受電装置が充電中であるか否かを判定する。制御部１０５が、識別情報「１」の受電装置が二次電池を充電中であると判定した場合、処理をＳ７１３に移す。制御部１０５が、識別情報「１」の受電装置が二次電池を充電中ではないと判定した場合、処理をＳ７１５に移す。
【０１１７】
Ｓ７１３で、制御部１０５は、識別情報「１」を宛先識別情報として含み、充電の停止を示すコマンドコードを含む充電停止コマンドを給電ステーション１００上に載置されている受電装置に送信する。制御部１０５は、給電ステーション１００上に載置されている受電装置に充電停止コマンドを送信した後、処理をＳ７１４に移す。
【０１１８】
Ｓ７１４で、制御部１０５は、記憶部１０６に記憶されている識別情報管理テーブルから識別情報「１」に対応する充電状態を「充電中」から「未使用」に変更する。識別情報管理テーブルから識別情報「１」に対応する充電状態を変更した後、制御部１０５は、識別情報削除処理を終了させる。
【０１１９】
Ｓ７１５で、制御部１０５はＳ７０３で取得した識別情報から、識別情報「２」の受電装置が充電中であるかを判定する。制御部１０５が、識別情報「２」の受電装置が二次電池を充電中であると判定した場合、処理をＳ７１６に移す。制御部１０５が、識別情報「２」の受電装置が二次電池を充電中でないと判定した場合、制御部１０５は、識別情報削除処理を終了させる。
【０１２０】
Ｓ７１６で、制御部１０５は、識別情報「２」を宛先識別情報として含み、充電の停止を示すコマンドコードを含む充電停止コマンドを給電ステーション１００上に載置されている複数の受電装置に送信する。制御部１０５は、充電停止コマンドを送信した後、処理をＳ７１７に移す。
【０１２１】
Ｓ７１７で、記憶部１０６に記憶されている識別情報管理テーブルから識別情報「２」の充電状態を「充電中」から「未使用」に変更した後、制御部１０５は、識別情報削除処理を終了させる。
【０１２２】
なお、識別情報付与処理及び識別情報削除処理は、給電ステーション１００上にカメラ２００及び携帯電話３００以外の複数の受電装置が戴置されている場合に行われても良い。
【０１２３】
例えば、給電ステーション１００上に３つの受電装置が戴置されている場合、Ｓ７０４では、制御部１０５は、３つの受電装置の中の一つの受電装置が充電を行っているのか、２つ以上の受電装置が同時に充電を行っているのかを判定する。制御部１０５は、３つの受電装置の中の一つの受電装置が充電を行っていると判定した場合、処理をＳ７１２に移す。制御部１０５は、２つ以上の受電装置が同時に充電を行っていると判定した場合、処理をＳ７０５に移す。
【０１２４】
なお、識別情報付与処理及び識別情報削除処理において給電ステーション１００で検出される消費電力と比較される所定値は、給電ステーション１００上に戴置されたカメラ２００や携帯電話３００を検出できる値であれば良い。給電ステーション１００は、検出した消費電力の変化と、この所定値とを比較することによって、カメラ２００や携帯電話３００が給電ステーション１００上に戴置されたことを検出することができる。給電ステーション１００は、検出した消費電力の変化とこの所定値とを比較することによって、カメラ２００や携帯電話３００が給電ステーション１００上から取り外されたこと、またはカメラ２００や携帯電話３００の充電が完了したことを検出できる。
【０１２５】
（その他の実施形態）
また、本発明に係る給電装置は、実施形態１で説明した給電装置１００に限定されるものではない。また、本発明に係る受電装置は、受電装置２００や受電装置３００に限定されるものではない。また、実施形態１において説明した構成及び機能は、コンピュータで実行可能なコンピュータプログラムによって実現することもできる。この場合、当該コンピュータプログラムは、コンピュータ読取可能な記録媒体から当該コンピュータによって読み出され、当該コンピュータで実行される。またこの場合、当該コンピュータ読取可能な記録媒体には、ハードディスク装置、光ディスク、ＣＤ−ＲＯＭ、ＣＤ−Ｒ、メモリカード、ＲＯＭ等を用いることができる。なお、当該コンピュータプログラムは、通信インターフェースを介して外部装置から当該コンピュータに提供され、当該コンピュータで実行されるようにしてもよい。
【図１】
0005548514.tif 000002
【図２】
0005548514.tif 000003
【図３】
0005548514.tif 000004
【図４】
0005548514.tif 000005
【図５】
0005548514.tif 000006
【図６】
0005548514.tif 000007
【図７】
0005548514.tif 000008